(57)【要約】【課題】内釜を確実にシールしておいしいお米を炊飯することのできる内蓋のシール部材を備えた炊飯器を提供する。【解決手段】シール部材２０を、下方に垂下した内釜シール部２４と、この内釜シール部２４の上部から外周側に斜め下方に向って分岐したフランジ圧接部２５とを有し、蓋体を閉じたときにフランジ圧接部２５が内釜１２のフランジ１３の上面に圧接され、この圧接力により内釜シール部２４が外周側に変位して内釜１２の内壁に圧接されるように、内釜シール部２４とフランジ圧接部２５の分岐点２６を、内釜１２のフランジ１３の上面より上方の位置するように構成した。【選択図】図８
2008167890.tif 000002
【特許請求の範囲】
【請求項１】
炊飯器本体と、下面外周部にシール部材が設けられた内蓋を有し前記炊飯器本体の上部開口部を開閉する蓋体と、上端部外周にフランジを有し前記炊飯器本体内に着脱可能に収容される内釜と、該内釜を加熱する加熱手段とを有し、
前記シール部材を、下方に垂下した内釜シール部と、該内釜シール部の上部から外周側に斜め下方に向って分岐したフランジ圧接部とを有し、前記蓋体を閉じたときに前記フランジ圧接部が前記内釜のフランジの上面に圧接され、この圧接力により前記内釜シール部が外周側に変位して前記内釜の内壁に圧接されるように、前記内釜シール部とフランジ圧接部の分岐点を、前記内釜のフランジの上面より上方の位置するように構成したことを特徴とする炊飯器。
【請求項２】
前記シール部材の内釜シール部とフランジ圧接部の分岐部の下面に、両者を一体的に結合する複数のリブを設けたことを特徴とする請求項１記載の炊飯器。
【請求項３】
前記シール部材の上面に斜め内周側に延設されたリップを設け、前記シール部材を内蓋に装着したときに前記リップが前記内蓋のフランジの下面に圧接するように構成したことを特徴とする請求項１又は２記載の炊飯器。
【請求項４】
前記シール部材のフランジ圧接部に、前記内釜シール部とフランジ圧接部との間に形成された圧力緩和室と外気を連通する減圧穴又は減圧溝を設けたことを特徴とする請求項１〜３のいずれかに記載の炊飯器。
【請求項５】
前記シール部材の内釜シール部の外周面の全周に突条を設けたことを特徴とする請求項１〜４のいずれかに記載の炊飯器。
【請求項６】
前記突条を内釜シール部の外周面の上下に複数設け、上部の突条の突出高さを下部の突条の突出高さより高く形成したことを特徴とする請求項５記載の炊飯器。
【請求項７】
前記シール部材の内釜シール部の外周部の全周に、斜め下方に延設した側面シール部を設けたことを特徴とする請求項１〜４のいずれかに記載の炊飯器。
【発明の詳細な説明】
【技術分野】
【０００１】
本発明は、炊飯器に係り、より詳しくは、内釜をシールするために蓋体の内蓋に設けたシール部材に関するものである。
【背景技術】
【０００２】
従来の炊飯ジャーに、内蓋パッキンの鍋シール部の鍋の内壁面に対する押圧しろを実質的に零に設定して鍋シール部を内壁面に沿いやすくすると共に、上記鍋シール部の付け根部から斜め外向きに突き出したつば縁を設け、そのつば縁を鍋に対して押しつけることにより、上記鍋シール部に内壁面に対する押圧力が生じるようにしたものがある（例えば、特許文献１参照）。
【０００３】
【特許文献１】特開２０００−１７５８１１号公報（第３−４頁、図１−２）
【発明の開示】
【発明が解決しようとする課題】
【０００４】
特許文献１の内蓋パッキンは、鍋シール部の基部から斜め上方につば縁が分岐しているので、内蓋を閉じてつば縁が鍋に当接しても、鍋シール部の鍋内壁側への移動量が少なく鍋内壁に圧着されないため、鍋へのシール力が弱いという問題があった。
また、鍋シール部の移動量が少ないため、鍋シール部と鍋内壁面とのすき間を可及的に狭くする必要があるため、内蓋を閉じる際に鍋シール部が鍋に当って閉じられないことがあり、さらに、鍋シール部がフランジの上に乗ってしまい、変形してすき間を生じたりするため、シール不足になって内圧が上昇せず、おいしいお米が炊飯できないことがあるなどの問題があった。
【０００５】
本発明は、上記の課題を解決するためになされたもので、内釜を確実にシールしておいしいお米を炊飯することのできる内釜のシール部材を備えた炊飯器を提供することを目的としたものである。
【課題を解決するための手段】
【０００６】
本発明に係る炊飯器は、炊飯器本体と、下面外周部にシール部材が設けられた内蓋を有し前記炊飯器本体の上部開口部を開閉する蓋体と、上端部外周にフランジを有し前記炊飯器本体内に着脱可能に収容される内釜と、該内釜を加熱する加熱手段とを有し、前記シール部材を、下方に垂下した内釜シール部と、該内釜シール部の上部から外周側に斜め下方に向って分岐したフランジ圧接部とを有し、前記蓋体を閉じたときに前記フランジ圧接部が前記内釜のフランジの上面に圧接され、この圧接力により前記内釜シール部が外周側に変位して前記内釜の内壁に圧接されるように、前記内釜シール部とフランジ圧接部の分岐点を、前記内釜のフランジの上面より上方の位置するように構成したものである。
【発明の効果】
【０００７】
本発明によれば、シール部材の内釜シール部とフランジ圧接部との間に両者を一体に結合するリブを設けると共に、蓋体を閉じたときに内釜シール部とフランジ圧接部の分岐点（支点）が内釜のフランジの上面より上方に位置するようにしたので、蓋体を閉じてフランジ圧接部が内釜のフランジに圧接されると、内釜シール部が外周側に変位して内釜の内壁に密着するため、蓋体（内蓋）により内釜を確実にシールすることができ、おいしいお米を炊飯することができる。
【発明を実施するための最良の形態】
【０００８】
［実施の形態１］
図１は本発明の実施の形態１に係る炊飯器の蓋体を開放した状態を示す斜視図、図２は一部を断面で示した図１の正面図、図３は図１の外観斜視図である。
図において、１は上部が開口された炊飯器本体、２は蓋体で、上蓋３、上蓋３との間にヒータ（図示せず）が設けられた中蓋４、及びほぼ凹状に形成されて周壁５ａの上端部外周に、外端部が下方に折曲げられ（係止部５ｃ）たフランジ５ｂが設けられ、上蓋３に着脱可能に装着される内蓋５（図７参照）からなり、ヒンジ（図示せず）により炊飯器本体１に連結されて、炊飯器本体１の上部開口部を開閉する。
【０００９】
６は上蓋３に設けた凹部３ａに着脱可能に装着された蒸気排出部、７は上蓋３の前面側に設けられて、蓋体２をロックするフックボタンである。
８は炊飯器本体１内の下部に設けた加熱体支持台で、その底面から外周にかけて加熱体である誘導加熱コイル９が設けられている。１１は加熱体支持台８の上部に設けた放熱板１０の外周に配設されたヒータである。
【００１０】
１２は上部が開口されて上端部外周にフランジ１３が設けられた内釜で、米や水が入れられて炊飯器本体１内に収容される。１４は加熱体支持台８の底部のほぼ中央部に設けられた温度センサで、炊飯器本体１内に内釜１２を収容したときにその底部に当接する。
１５は炊飯器本体１の前面側に設けられた操作部、１６はハンドル、１７は炊飯器本体１の後部側に設けられて、誘導加熱コイル９やヒータ１１等に電力を供給する電源コードである。
【００１１】
２０は内蓋５の外周側下面に装着されて、蓋体２により内釜１２を気密にシールするシール部材、３０はこのシール部材２０を内蓋５に固定する固定体である。
シール部材２０は、ゴムの如き弾性を有する素材により、内釜１２の外周（フランジ１３）に対応して環状に形成されており、図４に示すように、外周側に嵌合片２１ａを有するほぼ逆Ｊ字状に形成された取付部２１の上面には、斜め内側に向うリップ２２が設けられている。また、取付部２１の下端部は外方に向ってほぼ水平に形成され（水平部２３）、その外端部には下部が内側に向ってゆるやかな円弧状に形成された内釜シール部２４が垂下している。なお、この内釜シール部２４の外径は、内釜１２の上部の内径より若干小径に形成されている。
また、内釜シール部２４の基部（水平部２３の外周側端部）から外周側に分岐し、斜め下方に向って延設されたフランジ圧接部２５が設けられている。
【００１２】
そして、内釜シール部２４とフランジ圧接部２５の基部で形成された分岐点２６（支点）は、後述のように、このシール部材２０を内蓋５に組込んで蓋体２を閉じたときに、内釜１２のフランジ１３の上面より上方に位置するようになっている（図７参照）。
また、内釜シール部２４とフランジ圧接部２５の基部の間（分岐点２６）には、両者を一体化しかつ補強するために、図６に示すように、周方向にほぼ等間隔で複数のリブ２７が設けられている。なお、このリブ２７に代えて、この部分を肉厚に形成し、両者を一体化してもよい。
【００１３】
シール部材２０を内蓋５に固定する固定体３０は、図５に示すように、例えば合成樹脂を素材としてシール部材２０よりやや大きい環状に形成されており、下面の内周側はほぼ水平で、外周側に向って斜め上方に傾斜している。そして、上面には谷部を介して第１〜第４の突部（山部）３１，３２，３３，３４が設けられている。なお、第１の突部３１と底部の水平部は、シール部材２０の取付部２１と水平部２３との間に形成された空間部２１ｂとほぼ等しいか、又はこれより僅かに大きく形成されている。
【００１４】
次に、上記のように構成したシール部材２０を、固定体３０により内蓋５に固定する手順の一例について説明する。
先ず、図７に示すように、固定体３０の第１の突部３１と底部の水平部を、シール部材２０の取付部２１の空間部２１ｂ内に嵌入する。これにより、取付部２１の嵌合部２１ａが固定体３０の第１の突部３１と第２の突部３２の間に嵌入し、シール部材２０は、その弾性により第１、第２の突部３１，３２及び底部に密着し、両者は一体化される。
【００１５】
次に、一体化されたシール部材２０と固定体３０を、内蓋５の周壁５ａとフランジ５ｂの係止部５ｃとの間に嵌合し、係止部５ｃを固定体３０の第３の突部３３の外周側に係止させ、固定体３０をカシメあるいはねじ等により内蓋５に固定する。これにより、シール部材２０の取付部２１の内壁面が内蓋５の周壁５ａの外壁面に密着し、また、リップ２２がフランジ５ｂの下面に圧着される。なお、上記の説明では、図示の固定体３０によりシール部材２０を内蓋５に取付けた場合を示したが、シール部材２０の内蓋５への取付けはこれに限定するものではなく、他の手段を用いてもよい。
【００１６】
次に上記のように構成したシール部材２０の作用を、図８により説明する。
内釜５に水や米を入れて炊飯器本体１内に収容し、蓋体２を閉じると、シール部材２０の内釜シール部２５が内釜１２内に挿入される。このとき、内釜シール部２５の外径は内釜１２の内径より若干小径に形成されており、かつその下部が内側に向って円弧状に形成されているので、内釜１２に当ったりフランジ１３の上に乗ったりすることがなく、蓋体２をスムーズに閉じることができる。
【００１７】
ついで、フランジ圧接部２５がフランジ１３の上面に圧着すると、フランジ圧接部２５は分岐点２６を支点として矢印ａ方向に変位する。これにより、リブ２７等によってフランジ圧接部２５と一体化された内釜シール部２４に、分岐点２６を支点とする円運動が生じ、矢印ｂ方向に変位して内釜１２の内壁に密着し、内釜１２と蓋体２（内蓋５）を気密に保持する。
【００１８】
本実施の形態によれば、シール部材２０に、内釜１２の内壁をシールする内釜シール部２４と、内釜１２のフランジ１３をシールするフランジ圧接部２５とを設け、内釜シール部２４の外径を内釜１２の内径より若干小径に形成したので、蓋体２を閉じるときに内釜１２に当ったり内釜１２のフランジ１３に乗ったりすることがなく、スムーズに蓋体２を閉じることができる。
【００１９】
また、内釜シール部２４とフランジ圧接部２５との間に、両者を結合するリブ２７等を設けて両者の基部を一体化すると共に、蓋体２を閉じたときに両者の分岐点２６（支点）が内釜１２のフランジ１３の上面より上方に位置するようにしたので、蓋体２を閉じてフランジ圧接部２５が内釜１２のフランジ１３に圧接されると、内釜シール部２４がフランジ圧接部２５と共動して外周側に変位し、内釜１２の内壁に密着するため、蓋体２（内蓋５）により内釜１２を確実にシールすることができる。
【００２０】
また、炊飯により内釜１２の内圧が高くなると、内釜シール部２４の内釜１２の内壁への密着度、及びリップ２２の内蓋５のフランジ５ｂへの密着度がさらに高くなるので、おいしいお米を炊飯することができる。
【００２１】
［実施の形態２］
図９〜図１１は本発明の実施の形態２に係る炊飯器の内蓋に設けたシール部材の説明図である。なお、実施の形態１と同じ部分にはこれと同じ符号を付し、説明を省略する。
図９のシール部材２０は、内釜シール部２４の外周面に１個又は複数の環状の突条２４ａを設けると共に、フランジ圧接部２５に、内釜シール部２４とフランジ圧接部２５との間に形成された圧力緩和室２８と、外気とを連通する１個又は複数の減圧穴２５ａを設けたものである。なお、内釜シール部２４に複数の突条２４ａを設けた場合は、上部の突条２４ａの突出高さを、下部の突条２４ａの突出高さより高く形成することが望ましい。
【００２２】
図９のシール部材２０によれば、内釜シール部２４の外周に突条２４ａを設けたので、シール性を高めることができる。なお、内釜シール部２４の外周に複数の突条２４ａを設けて、その上部の突条２４ａの突出高さを、下部の突条２４ａの突出高さより高く形成すれば、蓋体２を閉じると先ず上部の突条２４ａが内釜１２の内壁に圧接されてシールし、内釜１２の内圧が上昇すると下部の突条２４ａも内釜１２の内壁に圧接されるので、より確実にシールすることができる。
【００２３】
また、フランジ圧接部２５に減圧穴２５ａを設けたので、内釜シール部２４とフランジ圧接部２５による内釜１２への吸着現象が緩和されて、蓋体２を容易に開放することができる。
【００２４】
図１０のシール部材２０は、図９のシール部材２４の突条２４ａに代えて、内釜シール部２４の外周に、斜め下方に舌状に延設された側面シール片２４ｂを設けたもので、その作用、効果は図９のシール部材２０の場合とほぼ同様である。
【００２５】
図１１のシール部材２０は、図９、図１０の減圧穴２５ａに代えて、フランジ圧接部２５の下面に、圧力緩和室２８と外気とを連通する１個又は複数の減圧溝２５ｂを設けたもので、その効果は図９のシール部材２０の場合とほぼ同様である。なお、本例は、図９、図１０のシール部材２０にも減圧穴２４ａに代えて実施することができる。
【００２６】
上記の説明では、本発明に係るシール部材２０を、図示の炊飯器実施した場合を示したが、これに限定するものではなく、他の構造の炊飯器にも実施することができる。
【図面の簡単な説明】
【００２７】
【図１】本発明の実施の形態１に係る炊飯器の蓋体を開放した状態を示す斜視図である。
【図２】一部を断面で示した図１の正面図である。
【図３】図１の外観斜視図である。
【図４】図１のシール部材の説明図である。
【図５】図１の固定体の説明図である。
【図６】図４のシール部材の背面図である。
【図７】シール部材を内蓋に取付けた状態を示す説明図である。
【図８】シール部材の作用説明図である。
【図９】本発明の実施の形態２に係るシール部材の説明図である。
【図１０】本発明の実施の形態２に係るシール部材の他の例の説明図である。
【図１１】本発明の実施の形態２に係るシール部材の他の例の説明図である。
【符号の説明】
【００２８】
１  炊飯器本体、２  蓋体、５  内蓋、９  加熱手段、１２  内釜、１３  フランジ、２０  シール部材、２１  取付部、２２  リップ、２４  内釜シール部、２４ａ  突条、２４ｂ  側面シール部、２５  フランジ圧接部、２５ａ  減圧穴、２５ｂ  減圧溝、２６  分岐点（支点）、２７  リブ、２８  圧力緩和室、３０  固定体。
【図１】
2008167890.tif 000003
【図２】
2008167890.tif 000004
【図３】
2008167890.tif 000005
【図４】
2008167890.tif 000006
【図５】
2008167890.tif 000007
【図６】
2008167890.tif 000008
【図７】
2008167890.tif 000009
【図８】
2008167890.tif 000010
【図９】
2008167890.tif 000011
【図１０】
2008167890.tif 000012
【図１１】
2008167890.tif 000013